(57)【要約】【課題】エアゾール容器２０のステム２１に装着されたボタン３０を覆うようにエアゾール容器２０に装着され、ボタン３０の誤操作による噴射口からの噴射を防止するエアゾールキャップ１であって、操作性及び取扱い性に優れ、かつステムに装着されたボタンの高さがある程度変化しても、エアゾール容器に装着させた状態で噴射状態を維持することが可能なエアゾールキャップを提供する。【解決手段】天板部２に形成され、係合片４と係合して係合状態を維持するストッパー部５、を備え、ストッパー部５と係合片４とが係合状態にあるときに、ボタン３０が押圧片３によって押圧されることによって、押圧状態を維持する。【選択図】図５
2007204145.tif 000002
【特許請求の範囲】
【請求項１】
エアゾール容器のステムに装着されたボタンを覆うように該エアゾール容器に装着され、該ボタンの誤操作による噴射口からの噴射を防止するエアゾールキャップであって、
当該エアゾールキャップの天板部に形成され、前記ボタンを押圧する押圧片と、
前記押圧片から垂設され、前記ボタンの押圧状態を維持する際に係合される係合片と、
前記天板部に形成され、前記係合片と係合して係合状態を維持するストッパー部と、を備え、
前記ストッパー部と前記係合片とが係合状態にあるときに、前記ボタンが前記押圧片によって押圧されることによって、押圧状態を維持することを特徴とするエアゾールキャップ。
【請求項２】
前記ボタンの上面部は曲面形状を有し、
前記押圧片の先端部は、前記曲面形状に対応した湾曲形状を有することを特徴とする請求項１に記載のエアゾールキャップ。
【請求項３】
前記押圧片は前記天板部に切り込みによって形成され、
前記切り込みの略始点位置から略終点位置とを結ぶ薄肉の山折り部が折り曲げられ、前記切り込みの始点から前記略始点位置まで及び前記切り込みの終点から前記略終点位置までの部位が撓んだ状態で、前記ボタンが前記押圧片によって押圧されることによって、押圧状態を維持することを特徴とする請求項１または２に記載のエアゾールキャップ。
【請求項４】
前記ストッパー部は、前記係合片と並行に形成された一対の狭持片からなり、
前記係合片が前記一対の狭持片によって狭持されたときに前記係合状態が維持されることを特徴とする請求項１〜３の何れかに記載のエアゾールキャップ。
【請求項５】
エアゾール容器のステムに装着されたボタンであって、
請求項１〜４の何れかに記載のエアゾールキャップの押圧片によって押圧され、該押圧片の先端部の形状に対応した曲面形状の上面部を有することを特徴とするボタン。
【発明の詳細な説明】
【技術分野】
【０００１】
本発明は、エアゾール容器のステムに装着されたボタンを覆うようにエアゾール容器に装着され、ボタンの誤操作による噴射口からの噴射を防止するエアゾールキャップに係り、特に、噴射口からの噴射状態を維持して残留ガスを排出させることが可能なエアゾールキャップに関する。
【背景技術】
【０００２】
消臭剤や殺虫剤等のように、エアゾール容器の内容物を噴射口から外部へ噴射させるエアゾール製品が知られている。一般に、消臭剤や殺虫剤等のエアゾール製品に使われているエアゾール容器の内部には液状、粉状の内容物と一緒に噴射剤として圧縮された可燃性ガスが充填されており、エアゾール容器に装着されたエアゾールキャップによってステムが押圧されたときに、内容物が噴射されるように構成されている。
【０００３】
ところで、エアゾール容器は、液状、粉状の内容物を使い切った後でも内容物放出用の可燃性ガスが残っていることが多い。可燃性ガスは火気があれば引火して爆発燃焼する可能性のあるガスであるため、可燃性ガスが残ったままの状態でエアゾール容器を廃棄すると思わぬ事態が生じかねない。このため、残留ガスを全て排出させてからエアゾール容器を廃棄することができるように、残留ガス排出機構を備えたエアゾールキャップが提案されている（特許文献１，２参照）。
【０００４】
特許文献１の残留ガス廃棄機構によれば、押ボタンと一体に形成したガス抜きモード設定用レバーをキャップの外周面に露出させ、このガス抜きモード設定用レバーを少し押し下げてから反時計回り方向に回動することにより、ガス抜きモード設定用レバーの梁状片部がテーパ面に案内されてガス抜きモード設定用レバーが容器本体に向けて移動する。これにより、ガス抜きモード設定用レバーとともに、押ボタンが容器本体に向けて移動し、押ボタンでステムを容器本体内に押し下げて容器本体内の残留ガスを放出する。
【０００５】
また、特許文献２には、エアゾール用キャップの天板に設けられた一対の折り曲げ板を利用し、一対の折り曲げ板を折り曲げてからキャップをエアゾール容器に装着するだけでエアゾール容器内の残留ガスを排出できるように構成されたキャップが開示されている。
【特許文献１】特開２００４−１６８３５６号公報
【特許文献２】特開２０００−１９１０６２号公報
【発明の開示】
【発明が解決しようとする課題】
【０００６】
しかしながら、特許文献１に記載の残留ガス廃棄機構では、ガス抜きモード設定用レバーがキャップの外周面に露出している。このため、通常の使用時に、ガス抜きモード設定用レバーが邪魔になる場合や、誤操作を起こす場合があり、取扱い性の観点から改良の余地が残されている。
【０００７】
また、特許文献２に記載のキャップにおいては、一対の折り曲げ板を互いに折り曲げ対向させた状態で、折り曲げ板の先端に設けられた凹部と凸部とを嵌合させなければならず、操作が煩雑な部分がある。さらに、ステムに装着されたボタンの高さが変化した場合には、キャップ自体をエアゾール容器に装着させることが不可能となり、噴射状態を維持することができなくなってしまう。
【０００８】
本発明は、上記課題を解決するためになされたものであり、操作性及び取扱い性に優れ、かつステムに装着されたボタンの高さがある程度変化しても、エアゾール容器に装着させた状態で噴射状態を維持することが可能なエアゾールキャップを提供することを目的とする。
【課題を解決するための手段】
【０００９】
本発明は、以下の構成により達成される。
（１）  エアゾール容器のステムに装着されたボタンを覆うように該エアゾール容器に装着され、該ボタンの誤操作による噴射口からの噴射を防止するエアゾールキャップであって、
当該エアゾールキャップの天板部に形成され、前記ボタンを押圧する押圧片と、
前記押圧片から垂設され、前記ボタンの押圧状態を維持する際に係合される係合片と、
前記天板部に形成され、前記係合片と係合して係合状態を維持するストッパー部と、を備え、
前記ストッパー部と前記係合片とが係合状態にあるときに、前記ボタンが前記押圧片によって押圧されることによって、押圧状態を維持することを特徴とするエアゾールキャップ。
（２）  前記ボタンの上面部は曲面形状を有し、
前記押圧片の先端部は、前記曲面形状に対応した湾曲形状を有することを特徴とする（１）に記載のエアゾールキャップ。
（３）  前記押圧片は前記天板部に切り込みによって形成され、
前記切り込みの略始点位置から略終点位置とを結ぶ薄肉の山折り部が折り曲げられ、前記切り込みの始点から前記略始点位置まで及び前記切り込みの終点から前記略終点位置までの部位が撓んだ状態で、前記ボタンが前記押圧片によって押圧されることによって、押圧状態を維持することを特徴とする（１）または（２）に記載のエアゾールキャップ。
（４）  前記ストッパー部は、前記係合片と並行に形成された一対の狭持片からなり、
前記係合片が前記一対の狭持片によって狭持されたときに前記係合状態が維持されることを特徴とする（１）〜（３）の何れかに記載のエアゾールキャップ。
（５）  エアゾール容器のステムに装着されたボタンであって、
（１）〜（４）の何れかに記載のエアゾールキャップの押圧片によって押圧され、該押圧片の先端部の形状に対応した曲面形状の上面部を有することを特徴とするボタン。
【発明の効果】
【００１０】
本発明のエアゾールキャップによれば、押圧片とストッパー部とが同じ天板部に設けられている。すなわち、押圧片とストッパー部とはエアゾールキャップに一体となって形成されている。したがって、エアゾールキャップは通常の使用状態（つまり、押圧状態を維持する必要のない場合）のときにはエアゾール容器から取り外されるので、これらの構成部位が邪魔になることがなく、操作性及び取扱い性に優れたエアゾールキャップを提供することが可能である。
【００１１】
また、本発明のエアゾールキャップ及びボタンによれば、押圧片の先端部がボタンの上面部の形状に対応した湾曲形状を有し、ボタンの上面部は湾曲形状に対応した曲面形状を有しているので、押圧片によってボタンを押圧した際には、曲面形状に湾曲形状が嵌まり込むようになっている。したがって、ストッパー部によって係合状態が維持されるだけでなく、特定形状同士の嵌め合いによっても押圧状態の維持効果を発揮するので、容易に押圧状態が解除されることがない。また、曲面形状であればエアゾールキャップをどのような方向から装着させた場合でも押圧片の先端部の湾曲形状とボタンの上面部の曲面形状とを嵌め合せることができるので、ユーザはエアゾールキャップを装着させる際の装着位置に気を配る必要がない。
【００１２】
本発明のエアゾールキャップによれば、押圧片は切り込みの略始点位置から略終点位置とを結ぶ薄肉の山折り部によって折り曲げ可能に構成されている。すなわち、山折り部よりもくい込んだ位置に切り込みの始点と終点がくるように形成されているので切り込みの始点から略始点位置まで及び切り込みの終点から略終点位置までの部位が可撓性を有するように形成されている。したがって、ある程度の高さの範囲に対応したボタンがステムに装着されていた場合でも、山折り部を折り曲げて係合片を係合位置に固定した状態でエアゾールキャップをエアゾール容器に装着させたときに、可撓性を有する部位によってその高さの範囲を吸収することが可能である。つまり、ボタンに設計変更等があった場合でも変更毎にエアゾールキャップを新しいものと交換する必要がなく、ある程度の寸法差に対応したエアゾールキャップを提供することが可能である。
【００１３】
また、本発明のエアゾールキャップによれば、係合片は、押圧片の中央位置から垂設され、係合片が一対の狭持片によって狭持されるように構成されている。つまり、押圧片によってボタンが押圧された際に、係合片はその押圧方向と垂直な方向から支えるようになっているので、ステムの反発力に反して押圧状態を維持する際に補助的な役割を果たすことが可能である。さらに、係合片は狭持片に狭持されているので、容易に押圧状態が解除されることがなく、エアゾール容器の内容物を最後まで排出させることが可能である。
【発明を実施するための最良の形態】
【００１４】
以下、図面を参照しながら、本発明にかかるエアゾールキャップの実施形態について詳細に説明する。図１は、本実施形態のエアゾール容器に装着されたエアゾールキャップの上面図である。図２は、図１に示したエアゾールキャップのA−A線断面図である。
【００１５】
本実施形態に係るエアゾールキャップ１は、エアゾール容器２０のステム２１に装着されたボタン３０を覆うようにエアゾール容器２０のマウンテンカップ部２２に装着され、ボタン３０の誤操作による噴射口３１からの噴射を防止する役割を果たしている。
【００１６】
（エアゾールキャップ１の構造について）
図１及び図２に示すように、エアゾールキャップ１は略円筒形状を有し、上面には平面状の天板部（上面部）が形成されている。エアゾールキャップ１は、主として、エアゾールキャップ１の天板部２に形成され、ボタン３０を押圧する押圧片３と、押圧片３から垂設され、ボタン３０の押圧状態を維持する際に係合される係合片４と、天板部２に形成され、係合片４と係合して係合状態を維持するストッパー部５と、を備えている。
【００１７】
押圧片３はエアゾールキャップ１の天板部２に切り込み６によって形成され、切り込み６の略始点位置７から略終点位置８とを結ぶ薄肉の山折り部９が折り曲げ可能に形成されている。図２に示すように係合片４は、断面略直角三角形状の薄い板状に形成され、押圧片３の中央位置１２から垂設されている。つまり、押圧片３が折り曲げ部９から折り曲げられる前の状態では、係合片４の斜辺１５がボタン３０の噴射口３１と反対の方向（矢印Ｘ方向）に向いて位置し、長辺１３が天板部２と並行になるように配置されている。
【００１８】
また、図１に示すように押圧片３の先端部１９は、ボタン３０の上面部３２の形状に対応したＲ形状（湾曲形状）に形成されている。そして本実施形態では、ボタン３０の上面部３２は押圧片３の先端部１９のＲ形状に対応したＲ球形状（曲面形状）に形成されている。このように、互いの形状を対応させた形状に形成することによって、押圧片３によってボタン３０を押圧した際に、Ｒ球形状にＲ形状が嵌まり込むように構成されている。
【００１９】
ストッパー部５は、係合片４と並行に形成された一対の狭持片５，５であって、係合片４が狭持片５，５によって狭持されたときに係合位置が固定される。つまり、狭持片５，５間の間隔は係合片４の厚さＬ１にほぼ等しく、山折り部９を折り曲げた際に係合片４の短辺１４が狭持片５，５の間に狭持されるようになっている。本実施形態では、山折り部９はエアゾールキャップ１の略中心部１８を通るように形成され、狭持片５，５は山折り部９を折り曲げた際に、短辺１４を狭持できるように略中心部１２から長さＬ３の範囲以内に配置されるように構成されている。
【００２０】
（エアゾールキャップの作用について）
次に、図３〜図５を参照してエアゾールキャップ１の作用について説明する。ここでは、非噴射状態から噴射維持状態へ移行させる場合の作用について詳細に説明する。図３（ａ）は、エアゾールキャップ１の押圧片３を折り曲げた状態の断面図、図３（ｂ）はエアゾールキャップ１が装着される前のボタン付エアゾール容器の側面図、図４は、噴射維持状態のエアゾールキャップ１の上面図、図５は、押圧片３を折り曲げたエアゾールキャップ１をエアゾール容器２０に装着させたときの断面図である。
【００２１】
ユーザは、図１のように押圧片３が天板部２と同じ平面にある状態のエアゾールキャップ１をエアゾール容器２０から取り外す。次に、図３（ａ）に示すように山折り部９を支軸として天板部２から押圧片３をほぼ直角に折り曲げるとともに、係合片４を狭持部５，５の間へ挿入させて、固定させる。このとき、係合片４の斜辺１５は下向きに（矢印Ｙ方向）に位置し、長辺１３が天板部２と垂直になるように位置する。このように、長辺１３が押圧片３を垂直方向から支えるようになっているので、ステム２１の反発力に反して押圧状態を維持する際の補助的な役割を果たし容易に押圧状態が解除されることを防止することが可能である。
【００２２】
次に、図３（ａ）の状態のエアゾールキャップ１を図３（ｂ）のボタン付エアゾール容器に装着させると図５に示すように押圧片３がボタン３０の略中央部を押圧し、押圧状態が維持されてエアゾール容器の内容物が噴射口３１からの噴射状態を維持することが可能となる。また、エアゾールキャップ１を装着させると、押圧片３の先端部１９のＲ形状とボタン３０の上面部３２のＲ球形状とが嵌め合わされた状態となるので、容易に押圧状態が解除されることがなく、押圧状態の維持効果を発揮することができる。また、Ｒ球形状であればエアゾールキャップ１をどのような方向から装着させた場合でも押圧片３の先端部１９のＲ形状とボタン３０のＲ球形状とを嵌め合せることができるので、ユーザはエアゾールキャップ１を装着させる際の装着位置に気を配る必要がない。
【００２３】
ところで、ボタン３０の高さによっては、切り込み６の始点１０から略始点位置７まで及び切り込み６の終点１１から略終点位置８までの部位が撓んだ状態で、押圧片３がボタン３０を押圧するケースがある。このようなケースでも本実施形態のエアゾールキャップ１によれば、可撓性を有する部位によってその高さの範囲を吸収することが可能である。つまり、ある程度の高さの範囲に対応したボタン３０がステム２１に装着されていた場合でも、山折り部９を折り曲げて係合片４を係合位置に固定した状態で噴射口３１からの噴射状態を維持することが可能である。
【００２４】
また、本実施形態のエアゾールキャップによれば、噴射維持状態において押圧辺３が折り曲げられることによって、天板部２に開口部１７が形成されるので、噴射口３１から噴射されたエアゾール容器の内容物を開口部１７から外部へ放出させることが可能である。したがって、噴射口３１からの噴射の勢いを殺してから外部へ放出するので、誤って火気に引火するような危険な事態を生じることがなく、安全な噴射維持状態を実現するエアゾールキャップ１を提供することが可能である。
【図面の簡単な説明】
【００２５】
【図１】本実施形態のエアゾール容器に装着されたエアゾールキャップの上面図である。
【図２】図１に示したエアゾールキャップ１のA−A線断面図である。
【図３】（ａ）図は、エアゾールキャップの押圧片を折り曲げた状態の断面図、（ｂ）図はエアゾールキャップが装着される前のボタン付エアゾール容器の側面図である。
【図４】噴射維持状態のエアゾールキャップの上面図である。
【図５】押圧片を折り曲げたエアゾールキャップをエアゾール容器に装着させたときの断面図である。
【符号の説明】
【００２６】
１：エアゾールキャップ、２：天板部、３：押圧片、４：係合片、５：狭持片、６：切り込み、７：略始点位置、８：略終点位置、９：折り曲げ部、１０：始点部、１１：終点部、１２：中央位置、１３：長辺、１４：短片、１５：斜辺、１９：先端部、２０：エアゾール容器、２１：ステム、２２：マウンテンカップ、３０：ボタン
【図１】
2007204145.tif 000003
【図２】
2007204145.tif 000004
【図３】
2007204145.tif 000005
【図４】
2007204145.tif 000006
【図５】
2007204145.tif 000007